(57)【要約】【課題】安価な構成により、灯具を被取付面に直付け可能な照明装置を提供することを課題とする。【解決手段】実施形態に係る照明装置は、光源モジュールと；光源モジュールに接続した電源装置４と；電源装置４の端子台６と；端子台６に接続する給電ケーブル３１を導出した被取付面１に対向し、端子台６を挿通可能な挿通部５を有し、電源装置４を配設する筐体と；端子台６を電源装置４に接続し、端子台６を挿通部５を介して筐体の外側へ配置可能な長さを有し、可撓性を有する接続ケーブル８と；給電ケーブル３１を接続した状態の端子台６を挿通部５を介して筐体内に引き込んで収容した状態で筐体を被取付面１に取り付ける取付金具と；を有する。【選択図】      図７
2020167113.tif 000002
【特許請求の範囲】
【請求項１】
光源モジュールと；
前記光源モジュールに接続した電源装置と；
前記電源装置の端子台と；
前記端子台に接続する給電ケーブルを導出した被取付面に対向し、前記端子台を挿通可能な挿通部を有し、前記電源装置を配設する筐体と；
前記端子台を前記電源装置に接続し、前記端子台を前記挿通部を介して前記筐体の外側へ配置可能な長さを有し、可撓性を有する接続ケーブルと；
前記給電ケーブルを接続した状態の前記端子台を前記挿通部を介して前記筐体内に引き込んで収容した状態で前記筐体を前記被取付面に取り付ける取付金具と；
を有する照明装置。
【請求項２】
前記給電ケーブルを前記端子台に接続可能で且つ前記挿通部に挿通可能なコネクタをさらに有する、
請求項１の照明装置。
【請求項３】
前記挿通部は、前記筐体を前記被取付面に取り付ける際に、前記端子台が前記筐体内で移動して前記電源装置に干渉しない距離だけ前記電源装置から離れた位置に配置されている、
請求項１の照明装置。
【発明の詳細な説明】
【技術分野】
【０００１】
本発明の実施形態は、例えば天井に取り付ける照明装置に関する。
【背景技術】
【０００２】
天井に取り付ける照明装置として、例えば、一列に並べた複数個のＬＥＤ素子を備えた長尺なベースライトが知られている。この種のベースライトは、一般に、天井に締結固定するシャーシと、シャーシに取り付ける灯体と、を有する。シャーシは、電源装置と端子台を備える。灯体は、複数個のＬＥＤ素子を直線状に並べて実装した長尺な基板を備える。
【０００３】
この種のベースライトを天井に取り付ける場合、まず、天井から引き出された給電ケーブルをシャーシの孔に通し、シャーシをネジにより天井に締結固定する。そして、シャーシの孔から引き出された給電ケーブルを灯体に接続し、その後、灯体をシャーシに取り付ける。灯体のシャーシへの取り付けには、ネジなどが用いられる。
【０００４】
これに対し、例えば、長手方向に離間して配置した２つの取付金具を介して灯具を天井に直付けするタイプのベースライトも考案されている。取付金具は、例えば、天井に締結固定するためのネジ孔と、灯具を保持するための保持部と、を備えている。保持部は、例えば、金属板をコ字状に折り曲げた板ばねにより形成されており、板ばねの先端に係合爪を備えている。取付金具は、板ばねの開口側が下を向く姿勢で天井に締結固定される。
【０００５】
この種のベースライトを天井に取り付ける場合、まず、２つの取付金具を互いに所定距離離間させてネジにより天井の所定位置に締結固定する。そして、天井から引き出された給電ケーブルを灯具に接続し、その後、灯具を２つの取付金具の板ばねの内側に押し込む。これにより、２つの取付金具の板ばねが弾性変形して広げられて、灯具の筐体の外面にある溝に板ばねの先端にある係合爪が係合し、板ばねが復元力によって元の形に戻って、灯具が天井に取り付けられる。
【先行技術文献】
【特許文献】
【０００６】
【特許文献１】特開２０１６−３５９３５号公報
【発明の概要】
【発明が解決しようとする課題】
【０００７】
しかし、上述した従来のベースライトのように、灯具を天井に直付けする場合、天井から導出した給電ケーブルを灯具に接続したコネクタを天井と灯具の間に配置するスペースを確保することが難しい。このため、灯具を天井に直付けするためには、例えば、コネクタを天井の裏側に押し込む必要がある。
【０００８】
このように、天井裏にコネクタを配置する場合、コネクタを囲んで収容するコネクタ用の収容部を天井裏に取り付ける必要がある。このため、コネクタ収容部の取り付けのための手間がかかり、部品点数が多くなり、施工費用が高くなる。
【０００９】
よって、安価な構成により、灯具を被取付面に直付け可能な照明装置の開発が望まれている。
【課題を解決するための手段】
【００１０】
実施形態に係る照明装置は、光源モジュールと；光源モジュールに接続した電源装置と；電源装置の端子台と；端子台に接続する給電ケーブルを導出した被取付面に対向し、端子台を挿通可能な挿通部を有し、電源装置を配設する筐体と；端子台を電源装置に接続し、端子台を挿通部を介して筐体の外側へ配置可能な長さを有し、可撓性を有する接続ケーブルと；給電ケーブルを接続した状態の端子台を挿通部を介して筐体内に引き込んで収容した状態で筐体を被取付面に取り付ける取付金具と；を有する。
【発明の効果】
【００１１】
実施形態に係る照明装置によると、安価な構成により、灯具を被取付面に直付けすることができる。
【図面の簡単な説明】
【００１２】
【図１】図１は、実施形態に係るベースライトを示す斜視図である。
【図２】図２は、図１のベースライトの灯具から透光カバーを取り除いた状態を示す斜視図である。
【図３】図３は、図１のベースライトの灯具をＦ３−Ｆ３で切断した断面図である。
【図４】図４は、図１のベースライトの灯具を被取付面に取り付けるための取付金具を示す斜視図である。
【図５】図５は、図４の取付金具の保持部を挿通して係合部を引っ掛ける灯具の筐体の係合孔を拡大して示す平面図である。
【図６】図６は、図１のベースライトの灯具の筐体の外側で端子台に給電ケーブルを接続した状態を示す概略図である。
【図７】図７は、図６の状態から給電ケーブルを接続した端子台を筐体の凹所内に収容した状態を示す概略図である。
【図８】図８は、図１のベースライトの灯具に他の灯具を連設する接続部分を示す概略図である。
【図９】図９は、灯具を短手方向にスライドさせて取り付けるタイプの係合孔の一例を示す平面図である。
【図１０】図１０は、灯具の外側に引き出した端子台に給電ケーブルのコネクタを接続した状態を示す概略図である。
【図１１】図１１は、図１０の状態から給電ケーブルのコネクタを接続した端子台を筐体の凹所内に収容した状態を示す概略図である。
【発明を実施するための形態】
【００１３】
以下、図面を参照しながら実施形態について詳細に説明する。  
実施形態に係るベースライト１００（照明装置）は、光源モジュール１４と、光源モジュール１４に接続した電源装置４と、電源装置４の端子台６と、電源装置４を配設する筐体２と、を有する。筐体２は、端子台６に接続する給電ケーブル３１を導出した天井に対向する底壁２ａを有する。底壁２ａには、端子台６を挿通可能な引込孔５（挿通部）が設けられている。端子台６は、可撓性を有する接続ケーブル８を介して電源装置４に接続されている。接続ケーブル８は、端子台６を引込孔５を介して筐体２の外側へ配置可能な長さを有する。ベースライト１００は、給電ケーブル３１を接続した状態の端子台６を引込孔５を介して筐体２内に引き込んで収容した状態で筐体２を天井に取り付けるための取付金具２０を有する。
【００１４】
図１は、実施形態に係るベースライト１００を示す斜視図である。また、図２は、図１のベースライト１００の灯具１０から透光カバー１２を取り除いた状態を示す斜視図である。また、図３は、図１のベースライト１００の灯具１０を長手方向と直交する面（Ｆ３−Ｆ３）に沿って切断した断面図である。また、図４は、図１のベースライト１００の灯具１０を天井や壁などの被取付面１に取り付けるための取付金具２０を示す斜視図である。さらに、図５は、取付金具２０を挿通した状態で灯具１０を天井に沿って図示矢印Ｔ方向にスライドさせることにより取付金具２０に係合する灯具１０の係合孔７を部分的に拡大して示す平面図である。灯具１０は、少なくとも１つの取付金具２０を用いて、被取付面１に取り付けられる。以下に説明する本実施形態のベースライト１００は、２つの取付金具２０を介して灯具１０を天井に取り付けるものとする。
【００１５】
図２に示すように、灯具１０は、図示下面側が開口した長尺な略矩形箱状の筐体２を有する。筐体２は、例えば、略矩形の１枚の金属板を形状加工して断面コ字状に折り曲げた形状を有する。より詳細には、筐体２は、底壁２ａ、２つの側壁２ｂ、および２つの端壁２ｃを一体に有する。底壁２ａは、長尺な矩形板状に形成されている。底壁２ａは、天井に対向する対向壁として機能する。２つの側壁２ｂは、底壁２ａの長手方向に沿った両端辺にそれぞれ連続して底壁２ａと垂直に配置されている。各側壁２ｂは、長尺な矩形板状に形成されている。２つの端壁２ｃは、底壁２ａの短手方向に沿った両端辺にそれぞれ連続して底壁２ａと垂直に配置されている。各端壁２ｃは、矩形板状に形成されている。２つの側壁２ｂおよび２つの端壁２ｃは、底壁２ａの同一面側に垂直に延設されており、矩形枠状の周壁を形成している。言い換えると、筐体２は、底壁２ａに対向する長尺な矩形の開口を有し、筐体２内には、長尺な矩形の凹所３が形成されている。
【００１６】
筐体２の底壁２ａには、天井から配線されている後述する給電ケーブル３１（図６、図７）を凹所３内に引き込むための円形の引込孔５（挿通部）が設けられている。引込孔５は、底壁２ａの長手方向の中央で底壁２ａを貫通して設けられている。引込孔５の大きさは、後述する電源装置４に接続した端子台６を挿通可能な大きさに形成されている。引込孔５の形状は、端子台６を挿通可能な形状であればよく、任意に設計可能である。
【００１７】
また、筐体２の底壁２ａには、２つの係合孔７が底壁２ａを貫通して設けられている。２つの係合孔７は、引込孔５を間に挟んで底壁２ａの長手方向に互いに離間した端部近くに設けられている。２つの係合孔７は、同じ形状に形成されており、底壁２ａに対して同じ向きで設けられている。係合孔７の数は２つであることが望ましいが、少なくとも１つあればよい。灯具１０の長さに応じて係合孔７の数を決めればよく、灯具１０が長くなれば係合孔７の数を増やせばよい。
【００１８】
図５に拡大して示すように、筐体２の底壁２ａに設けた２つの係合孔７（図５では１つのみ図示）は、それぞれ、後述する取付金具２０の保持部２４を挿通可能な形状に形成されている。すなわち、係合孔７は、保持部２４を挿通可能な台形孔部７ａと長方形の係合孔部７ｂを灯具１０のスライド方向（矢印Ｔ方向）につなげた形状を有する。より具体的には、台形孔部７ａが矢印Ｔ方向の先方に配置され、係合孔部７ｂが矢印Ｔ方向の後方に配置されている。台形孔部７ａは、取付金具２０の保持部２４の形状に合わせて形成されている。台形孔部７ａは、台形の互いに平行な２辺のうち比較的短い短辺が矢印Ｔ方向の先方に配置され且つ比較的長い長辺が後方に配置される向きで形成されている。すなわち、係合孔部７ｂは、台形孔部７ａの短辺に連続して設けられている。
【００１９】
筐体２の凹所３内には、電源装置４が収容配置されている。電源装置４は、底壁２ａに設けた２つの係合孔７のうち矢印Ｔ方向の先方に設けた係合孔７と中央の引込孔５の間に配置されている。すなわち、電源装置４は、凹所３内で矢印Ｔ方向の先方に片寄った位置に配置されている。電源装置４は、この位置で、図示しないネジ等により筐体２の底壁２ａの内面に固定される。
【００２０】
電源装置４の矢印Ｔ方向の後端側（引込孔５に近い端部側）には、可撓性を有する所定長さの接続ケーブル８を介して端子台６が接続されている。接続ケーブル８は、少なくとも端子台６を筐体２の外に引き出すことができる長さを有する。図２では、端子台６が引込孔５を介して筐体２の外に引き出されているが、端子台６は、灯具１０を天井に取り付けた状態で筐体２の凹所３内に収容配置される。
【００２１】
図６および図７は、電源装置４に接続した端子台６に給電ケーブル３１を接続した状態を示す概略図である。図６は、端子台６を筐体２の外側に引き出して給電ケーブル３１を接続した状態を示し、図７は、給電ケーブル３１を接続した端子台６を筐体２の凹所３内に収容配置した状態を示す。言い換えると、図７は、灯具１０を天井に取り付けた状態を示す。
【００２２】
電源装置４は、給電ケーブル３１、端子台６、および接続ケーブル８を介して図示しない商用電源から供給される電力を灯具１０に対応させた電力に変換する。電源装置４は、図示しない電線を介して後述する光源モジュール１４の基板１３の図示しない配線に接続されている。電源装置４は、光源モジュール１４に所定の電力を供給して、複数個のＬＥＤ素子１１を発光させる。
【００２３】
筐体２内には、この他に、電源装置４を持たないここでは図示しない他の灯具１０’（第２の灯具）を連設するためのコンセント９が設けられている。コンセント９は、灯具１０を天井に取り付ける際のスライド方向（図示矢印Ｔ方向）に向けて筐体２の後方の端部に設けられている。コンセント９は、図示しない電線を介して電源装置４に接続されている。他の灯具１０’を灯具１０の後端につなげて取り付けると、後述するプラグ４０（図８）とコンセント９を介して灯具１０’の光源モジュール１４に灯具１０の電源装置４が接続され、電源装置４から灯具１０’への給電が可能となる。
【００２４】
図３に示すように、筐体２の底壁２ａから離間した開口部の近くには、複数個のＬＥＤ素子１１を一列に並べて実装した長尺な矩形板状の基板１３が取り付けられている。基板１３は、図３において、紙面と直交する方向に延設されている。ＬＥＤ素子１１は、基板１３の実装面に設けた図示しない配線パターンに接続したＬＥＤチップを樹脂により基板１３の実装面に封止して形成されている。複数個のＬＥＤ素子１１は、基板１３の実装面において基板１３の長手方向の中心線に沿って等間隔で一列に並べて設けられている。
【００２５】
筐体２の２つの長尺な側壁２ｂの開口側の端縁近くには、基板１３の長手方向に沿った端縁を受け入れる保持溝１５がそれぞれ形成されている。２つの保持溝１５は、筐体２の略全長にわたって互いに平行に設けられている。保持溝１５は、基板１３を筐体２の底壁２ａと平行な姿勢で保持することができる位置に配置されている。基板１３は、複数個のＬＥＤ素子１１が天井と反対の床に向く姿勢で筐体２に取り付けられている。
【００２６】
また、筐体２の基板１３に対向する開口部には、図１および図３に示すように、長尺で透明な透光カバー１２が設けられている。透光カバー１２は、例えば、樹脂材料の押出し成形により形成されている。透光カバー１２は、押出し方向（すなわち長手方向）に沿った中央部がドーム状に膨出した断面形状を有する。透光カバー１２の長手方向に沿った両端縁部は、同じ材質の端板材により筐体２の端壁２ｃに連続するように閉じられている。透光カバー１２は、筐体２に対して着脱不能であり、筐体２に対して一体に固定されている。透光カバー１２は、基板１３に配置した複数個のＬＥＤ素子１１から出射される光を透過するとともに拡散し、灯具１０から出射される照明光に点状のムラを生じることを防止する。
【００２７】
図４に示すように、ベースライト１００の取付金具２０は、例えば、略矩形の１枚の金属板を形状加工して折り曲げることにより形成される。取付金具２０は、天井に固定する固定部２２、および灯具１０を保持する保持部２４を一体に有する。また、保持部２４は、灯具１０の筐体２の底壁２ａに設けた係合孔７の縁に係合する係合部２６を有する。
【００２８】
取付金具２０の固定部２２は、略矩形板状に形成され、天井に固定する図示しないネジを挿通して取り付けるための２つのネジ孔２１を有する。２つのネジ孔２１は、固定部２２の長手方向に互いに離間して並んで設けられている。固定部２２は、その長手方向がベースライト１００の長手方向と平行になる姿勢で、天井と平行に配置され、天井に接触して取り付けられる。固定部２２の長手方向に沿った両端縁には、それぞれ、灯具１０の筐体２の底壁２ａと天井との間に介在する摺接板片２３（摺接部）が一体に突設されている。
【００２９】
また、固定部２２の長手方向に沿った両端縁には、それぞれ、略矩形板状の側板２５が一体に連続して設けられている。２つの側板２５は、固定部２２の同じ側（天井から離れる側）で固定部２２と直交する方向に延設されている。固定部２２の２つの摺接板片２３は、２つの側板２５を部分的に切り起して形成される。このため、各側板２５には、摺接板片２３と略同じ形状の切欠きが形成されている。
【００３０】
各側板２５の固定部２２から離間した側の長手方向に沿った端縁には、それぞれ、矩形板状の係合部２６が一体に連続して設けられている。２つの係合部２６は、それぞれ対応する側板２５と直交する互いに離反する方向に延設されている。つまり、取付金具２０は、いわゆる断面ハット状に形成されている。側板２５と係合部２６との間の折り曲げ線は、灯具１０の筐体２のスライド方向（図示矢印Ｔ方向）に向けて天井に近付く方向に傾斜している。このため、各係合部２６の天井側の面は、矢印Ｔ方向に向けて天井に近付く方向に傾斜した傾斜面２７となっている。
【００３１】
取付金具２０の２つの側板２５の外面間の距離、すなわち固定部２２の短手方向に沿った幅は、灯具１０の筐体２の底壁２ａに設けた係合孔７の係合孔部７ｂの矢印Ｔ方向と直交する方向の幅よりわずかに小さい値に設計されている。つまり、取付金具２０の保持部２４（２つの側板２５と２つの係合部２６）を係合孔７に挿通した状態で天井と平行に灯具１０の筐体２を矢印Ｔ方向にスライドさせることにより、取付金具２０の２つの側板２５が係合孔部７ｂに嵌合するようになっている。
【００３２】
また、取付金具２０の係合部２６の天井に最も近い傾斜面２７の端辺（図示手前側の端辺）と固定部２２の摺接板片２３の傾斜面２７側の摺接面２３ａとの間の天井と直交する方向に沿った距離は、灯具１０の筐体２の底壁２ａの厚みより小さい値に設計されている。このため、取付金具２０の保持部２４を筐体の係合孔７に挿通した状態で筐体２を矢印Ｔ方向にスライドさせると、底壁２ａの係合孔７の縁が取付金具２０の係合部２６の傾斜面２７に摺接し、傾斜面２７と摺接面２３ａとの間の距離が底壁２ａの厚み以下になった位置で、底壁２ａが係合部２６と摺接板片２３との間に挟み込まれて筐体２のそれ以上の移動が規制される。
【００３３】
なお、取付金具２０の係合部２６が天井から最も離間した傾斜面２７の端辺（図示奥側の端辺）と固定部２２の摺接板片２３の摺接面２３ａとの間の天井と直交する方向に沿った距離は、灯具１０の筐体２の底壁２ａの厚みよりわずかに大きい値に設計されている。２つの摺接板片２３は、灯具１０の筐体２を天井に沿ってスライドさせる際に、筐体２の底壁２ａが天井に接触しないように筐体２と天井の間に隙間Ｓを形成するよう機能する。
【００３４】
ベースライト１００を取り付ける天井の裏側には、予め、給電ケーブル３１が配線されており、天井の孔（図示せず）から室内へ給電ケーブル３１の先端が導出されている。複数台の灯具１０を一列にならべて連設する場合、１本の給電ケーブル３１により全ての灯具１０への給電が可能である。
【００３５】
給電ケーブル３１は、２本の電線の他にアース線を有する３線タイプのケーブルであり、金属線をビニールで被覆した電線およびアース線をさらにビニールでまとめて被覆したケーブルである。給電ケーブル３１は、例えば、一般に知られているＶＶＦケーブルであり、比較的変形し難く硬いケーブルである。給電ケーブル３１を端子台６に接続する場合、アース線を先に接続して２本の電線を後に接続するよう施工ルールが決められている。このため、端子台６は、アース線の接続端子がケーブルの差し込み方向の手前側に位置している。
【００３６】
以下、上述したベースライト１００を天井に取り付ける方法について説明する。  
まず初めに、天井に２つの取付金具２０を取り付ける。この際、給電ケーブル３１が導出された天井の孔を間に挟んで２つの取付金具２０を天井に固定する。２つの取付金具２０は、灯具１０を天井に取り付ける向き（すなわち灯具１０の長手方向）に沿って互いに所定距離離間した位置に同じ向きで取り付ける。２つの取付金具２０の間隔は、灯具１０の筐体２の底壁２ａに設けた２つの係合孔７の間隔に合わせて決められる。各取付金具２０の向きは、灯具１０を天井に取り付ける際のスライド方向に合わせて決められる。複数台の灯具１０を連設する場合には、灯具１０の台数の２倍の取付金具２０を所定間隔で天井に取り付ける。
【００３７】
各取付金具２０を天井に取り付ける場合、灯具１０の長手方向（図４に矢印Ｔで示す方向）に２つのネジ孔２１がそろう姿勢で固定部２２を天井に接触させて配置し、２つのネジ孔２１にネジを通して固定部２２を天井に固定する。矢印Ｔは、灯具１０を天井に取り付ける際のスライド方向であり、各取付金具２０は、矢印Ｔ方向の先端に向けて傾斜面２７が天井に近付く方向に傾斜する向きで天井に取り付けられる。２つの取付金具２０は、矢印Ｔ方向に沿って互いに離間して所定の間隔で天井に取り付けられる。
【００３８】
この後、上述した電源装置４を備えた灯具１０（マスター）を２つの取付金具２０に取り付ける。この際、まず、灯具１０の筐体２の底壁２ａに設けた引込孔５から引き出されている端子台６に給電ケーブル３１を接続する。給電ケーブル３１を端子台６に接続した状態を図６に示す。
【００３９】
この状態から、端子台６の接続ケーブル８を灯具１０の筐体２の底壁２ａに設けた引込孔５に押し込みながら、灯具１０を天井に近付ける。そして、端子台６を引込孔５に押し込んで、灯具１０の筐体２の底壁２ａに設けた２つの係合孔７に取付金具２０の保持部２４を差し込む。この際、筐体２の底壁２ａが取付金具２０の固定部２２の摺接板片２３の摺接面２３ａに接触するまで灯具１０を天井に近付ける。さらに、この状態から、筐体２の底壁２ａを摺接板片２３の摺接面２３ａに摺接させながら、天井に沿って灯具１０を矢印Ｔ方向にスライドさせる。
【００４０】
灯具１０を矢印Ｔ方向にスライドさせると、取付金具２０の係合部２６の傾斜面２７に底壁２ａの係合孔７の縁が摺接し、傾斜面２７の傾斜にならって筐体２が天井に近付く方向に押し上げられる。スライドの途中で、係合孔７の縁が傾斜面に接触している部位と摺接板片２３の摺接面２３ａとの間の天井と直交する方向の距離が筐体２の底壁２ａの厚み以下になると、底壁２ａの係合孔７の縁が係合部２６と摺接板片２３との間に挟み込まれて、それ以上のスライドが規制されて筐体２が取付金具２０に固定される。この状態を図７に示す。
【００４１】
この後、電源装置４を持たない別の灯具１０’（スレーブ）を灯具１０の長手方向の後端側に連設する場合、灯具１０’の筐体２の底壁２ａに設けた２つの係合孔７に対応する取付金具２０の保持部２４を挿通し、灯具１０’を矢印Ｔ方向にスライドさせて天井に取り付ける。灯具１０’は、電源装置４と端子台６を備えておらず、光源モジュール１４に接続したプラグ４０を備えている。それ以外の構造は、上述した灯具１０と略同じ構造を有する。コンセント９は、灯具１０’が連設する最も後端に位置する灯具１０’である場合には不要であり、中間の灯具１０’である場合には必要である。以下の説明では、灯具１０と同様に機能する灯具１０’の構成要素については同一符号を付してその詳細な説明を省略する。
【００４２】
図８は、灯具１０（マスター）と灯具１０’（スレーブ）の電気的な接続構造を示す概略図である。３台以上の灯具１０を連設する場合であってもその接続構造は同じである。灯具１０’のスライド方向（矢印Ｔ方向）の先端には、既に天井に取り付けられている灯具１０のコンセント９に接続されるプラグ４０が設けられている。プラグ４０は、灯具１０’の筐体２の矢印Ｔ方向の先端にある端壁２ｃから電極（２つの電極端子４１、４２とアースピン４３）を突出させて設けられている。プラグ４０は、２つの電極端子４１、４２とアースピン４３を有する。電極端子４１、４２、およびアースピン４３は、灯具１０’のスライド方向の先端に突出して延設されている。２つの電極端子４１、４２は、天井と直交し且つ灯具１０’のスライド方向と平行な面に沿って延設された板状片により形成されている。
【００４３】
一方、灯具１０のコンセント９は、２つの板状の電極端子４１、４２を受け入れるスリット状の穴（図示せず）を有するとともに、アースピン４３を受け入れるスリット状の穴（図示せず）を有する。アースピン４３を接続するコンセント９の接続端子は、電極端子４１、４２を接続する接続端子よりプラグ４０の差し込み方向の手前側に設けられている。コンセント９の３つのスリット状の穴は、天井と直交し且つ灯具１０’のスライド方向と平行な面に沿って延設されている。このため、灯具１０’を矢印Ｔ方向にスライドさせて天井に取り付ける動作に連動してプラグ４０をコンセント９に差し込むことができる。
【００４４】
灯具１０’の取り付けとプラグ４０の差し込みを同時に行う場合、灯具１０’のスライド方向の先端に設けたプラグ４０を灯具１０の後端に設けたコンセント９に差し込んだ状態で、灯具１０’を矢印Ｔ方向にスライドさせることになる。このため、プラグ４０をコンセント９に差し込んだ状態で灯具１０’の筐体２が天井に近付く方向にわずかに移動する。プラグ４０およびコンセント９は、灯具１０’が天井に向かう方向の移動を許容する構造とするため、天井と直交する方向への相対的な移動を許容する構造に形成されている。
【００４５】
以上述べた実施形態のベースライト１００（照明装置）によれば、天井に固定した取付金具２０の保持部２４を灯具１０の筐体２の係合孔７に挿通した状態で灯具１０を天井に沿って一方向にスライドさせるだけの簡単な動作により、灯具１０を天井に確実且つ安定して取り付けることができる。また、本実施形態によると、天井に固定した取付金具２０が筐体２の底壁２ａに設けた係合孔７に差し込まれて、ベースライト１００の外側から見えることがないため、ベースライト１００の美観を向上させることができ、意匠性を高めることができる。
【００４６】
また、本実施形態によると、灯具１０を天井に沿って矢印Ｔ方向にスライドさせて取付金具２０に取り付ける際に、筐体２の底壁２ａと天井の間に隙間Ｓを設けて、灯具１０の筐体２の底壁２ａを取付金具２０の摺接板片２３の摺接面２３ａに摺接させるようにしたため、灯具１０の取り付け時に筐体２の底壁２ａが天井に摺接する不具合を防止することができる。
【００４７】
また、本実施形態によると、灯具１０の端子台６を電源装置４に接続した接続ケーブル８を可撓性のある弾性変形可能なケーブルとしたため、灯具１０の端子台６を筐体２の外に引き出して給電ケーブル３１に接続した後、端子台６を筐体２内に収容することができる。このため、本実施形態によると、従来のように灯体とシャーシを分離した構造にする必要がなく、灯体とシャーシを一体にした灯具１０を天井に直付けすることができる。
【００４８】
また、本実施形態によると、接続ケーブル８に可撓性を持たせたため、灯具１０を天井に沿ってスライドさせて取り付ける際に、比較的硬い給電ケーブル３１を接続した端子台６の筐体２内における移動を許容することができ、給電ケーブル３１の端子台６に対する接続部分に不所望な応力がかかる不具合を防止することができる。
【００４９】
また、本実施形態のように、筐体２の底壁２ａに設けた引込孔５から電源装置４に向けて給電ケーブル３１が筐体２内に差し込まれる方向と灯具１０のスライド方向を一致させることにより、灯具１０を矢印Ｔ方向にスライドさせて天井に取り付ける際に、給電ケーブル３１が筐体２の底壁２ａの引込孔５からわずかに引き抜かれることになる。このため、灯具１０の取り付け動作によって、筐体２の凹所３内に接続ケーブル８を配線するためのスペースをわずかに広げることができ、接続ケーブル８にかかる曲げ応力を小さくすることができる。また、この場合、灯具１０の取り付け動作によって、端子台６が電源装置４から離れる方向に相対的に移動するため、筐体２内に押し込まれた端子台６が電源装置４に干渉する不具合を防止することができる。なお、筐体２の底壁２ａに設けた引込孔５は、灯具１０を天井に取り付ける動作時に、端子台６が筐体２内で上述したように移動しても、端子台６が電源装置４に干渉することのない距離だけ電源装置４から離れた位置に配置されている。
【００５０】
また、本実施形態によると、マスター・スレーブ方式により複数台の灯具１０を長手方向に連設する場合、スレーブユニットとなる灯具１０’の天井への取り付け動作に連動して、マスターユニットとなる灯具１０との間の電気的な接続が可能となる。つまり、本実施形態によると、灯具１０’の天井への取り付けと電気的な接続を１つの動作で同時に行うことができ、作業性を向上させることができる。また、灯具１０’の天井への取り付けにより、灯具１０’の灯具１０への電気的な接続が確保されるため、灯具１０’の電気的接続の信頼性を高めることができる。
【００５１】
上述した実施形態は、例として提示したものであり、発明の範囲を限定することは意図していない。上述した実施形態は、その他の様々な形態で実施されることが可能であり、発明の要旨を逸脱しない範囲で、種々の省略、置き換え、変更を行うことができる。上述した実施形態は、発明の範囲や要旨に含まれるとともに、特許請求の範囲に記載された発明とその均等の範囲に含まれる。
【００５２】
例えば、上述した実施形態では、天井に沿って灯具１０を長手方向にスライドさせて取り付ける場合について説明したが、これに限らず、灯具１０を短手方向にスライドさせて天井に取り付けるようにしても良い。この場合、図９に示すように、灯具１０の筐体２の底壁２ａに設けた係合孔７を上述した実施形態と９０度異なる姿勢に形成して、天井に固定する取付金具２０の向きを９０度回転させればよい。マスターユニットとなる電源装置４を備えた灯具１０は、他の灯具に対する電気的な接続（プラグの差し込み動作）を考慮する必要がないため、このような短手方向にスライドさせる取り付け方法であっても問題はない。
【００５３】
しかし、マスターユニットとなる灯具１０を短手方向にスライドさせて取り付ける場合であっても、天井から導出された比較的硬い給電ケーブル３１を接続した端子台６が筐体２の凹所３内でわずかに移動する。本実施形態では、端子台６を電源装置４に接続した接続ケーブル８に可撓性を持たせて湾曲可能としたため、このような端子台６の凹所３内における移動を許容することができ、給電ケーブル３１の接続部分にかかる応力を低減することができる。
【００５４】
なお、上述した実施形態では、天井から導出した給電ケーブル３１を灯具１０の端子台６に直接差し込む接続構造を採用したが、これに限らず、図１０および図１１に示すように、給電ケーブル３１の先端に端子台６’に連結するためのコネクタ３２を設けて、端子台６’とコネクタ３２を接続するようにしてもよい。この場合、筐体２の引込孔５から引き出した端子台６’にコネクタ３２を差し込むだけで給電ケーブル３１を灯具１０と接続することができ、作業性を向上させることができる。なお、この場合においても、端子台６’とコネクタ３２の接続構造は、給電ケーブル３１のアース線を給電線より先に接続させる構造となっている。また、端子台６’およびコネクタ３２は、それぞれ、筐体２の底壁２ａに設けた引込孔５に挿通可能な大きさおよび形状を有する。
【符号の説明】
【００５５】
１…被取付面、２…筐体、２ａ…底壁、３…凹所、４…電源装置、５…引込孔、６、６’…端子台、７…係合孔、８…接続ケーブル、９…コンセント、１０、１０’…灯具、１１…ＬＥＤ素子、１２…透光カバー、１３…基板、１４…光源モジュール、２０…取付金具、２２…固定部、２３…摺接板片、２３ａ…摺接面、２４…保持部、２６…係合部、２７…傾斜面、３１…給電ケーブル、３２…コネクタ、４０…プラグ、１００…ベースライト、Ｓ…隙間、Ｔ…スライド方向。
【図１】
2020167113.tif 000003
【図２】
2020167113.tif 000004
【図３】
2020167113.tif 000005
【図４】
2020167113.tif 000006
【図５】
2020167113.tif 000007
【図６】
2020167113.tif 000008
【図７】
2020167113.tif 000009
【図８】
2020167113.tif 000010
【図９】
2020167113.tif 000011
【図１０】
2020167113.tif 000012
【図１１】
2020167113.tif 000013